【手続補正書】
【提出日】平成27年2月2日(2015.2.2)
【手続補正１】
【補正対象書類名】明細書
【補正対象項目名】００１２
【補正方法】変更
【補正の内容】
【００１２】
そのために本発明では、色空間において、第１の色域で定義される格子点の色を、該色と無彩色軸上の焦点色とを結ぶ直線上の色にマッピングすることによって第２の色域の色に変換するためのプロファイルを作成する画像処理装置であって、前記格子点の色が、格子点の色が属する色相の面において前記第２の色域の最大彩度点の明度より高く、かつ前記最大彩度点の彩度より高い所定の領域に属するか否かを判断する判断手段と、前記第１の色域で定義される格子点の色をマッピングする変換手段と、複数の格子点の色それぞれの前記変換の結果に基づいてプロファイルを作成するプロファイル作成手段と、を具え、前記変換手段は、前記判断手段が、格子点の色が前記所定の領域に属していると判断した場合は、格子点の色の点と前記最大彩度点を結ぶ直線と無彩色軸との交点の明度以上の色を焦点色に設定し、前記格子点の色をマッピングすることを特徴とする。
【手続補正２】
【補正対象書類名】特許請求の範囲
【補正対象項目名】全文
【補正方法】変更
【補正の内容】
【特許請求の範囲】
【請求項１】
色空間において、第１の色域で定義される格子点の色を、該色と無彩色軸上の焦点色とを結ぶ直線上の色にマッピングすることによって第２の色域の色に変換するためのプロファイルを作成する画像処理装置であって、
前記格子点の色が、格子点の色が属する色相の面において前記第２の色域の最大彩度点の明度より高く、かつ前記最大彩度点の彩度より高い所定の領域に属するか否かを判断する判断手段と、
前記第１の色域で定義される格子点の色をマッピングする変換手段と、
複数の格子点の色それぞれの前記変換の結果に基づいてプロファイルを作成するプロファイル作成手段と、
を具え、
前記変換手段は、前記判断手段が、格子点の色が前記所定の領域に属していると判断した場合は、格子点の色の点と前記最大彩度点を結ぶ直線と無彩色軸との交点の明度以上の色を焦点色に設定し、前記格子点の色をマッピングすることを特徴とする画像処理装置。
【請求項２】
前記プロファイル作成手段によって作成されたプロファイルを用いて、前記第１の色域の画像データを前記第２の色域の画像データに変換する手段をさらに具えたことを特徴とする請求項１に記載の画像処理装置。
【請求項３】
前記色空間は、Ｌ*ａ*ｂ*色空間であることを特徴とする請求項１または２に記載の画像処理装置。
【請求項４】
前記第１の色域は入力装置による色域に対応し、前記第２の色域は出力装置による色域に対応することを特徴とする請求項１乃至３のいずれか１項に記載の画像処理装置。
【請求項５】
前記第１の色域は、ディジタルカメラまたはイメージスキャナによる色域に対応し、前記第２の色域はプリンタによる色域に対応することを特徴とする請求項１乃至４のいずれか１項に記載の画像処理装置。
【請求項６】
前記第２の色域は前記第１の色域に含まれることを特徴とする請求項１乃至５のいずれか１項に記載の画像処理装置。
【請求項７】
前記変換手段は、前記判断手段が、格子点の色が前記所定の領域に属していないと判断した場合は、格子点の明度に応じて焦点色を設定し、前記格子点の色をマッピングすることを特徴とする請求項１乃至６のいずれか１項に記載の画像処理装置。
【請求項８】
前記変換手段は、前記判断手段が、格子点の色が前記所定の領域に属しておらず前記所定の領域との境界に属していると判断した場合は、前記第１の色域と前記第２の色域との間で格子点の明度と彩度の大小関係が保持されるよう焦点色を設定し、前記格子点の色をマッピングすることを特徴とする請求項１乃至６のいずれか１項に記載の画像処理装置。
【請求項９】
色空間において、第１の色域で定義される格子点の色を、該色と無彩色軸上の焦点色とを結ぶ直線上の色にマッピングすることによって第２の色域の色に変換するためのプロファイルを作成するためのプロファイル作成方法であって、
前記格子点の色が、格子点の色が属する色相の面において前記第２の色域の最大彩度点の明度より高く、かつ前記最大彩度点の彩度より高い所定の領域に属するか否かを判断する判断工程と、
前記第１の色域で定義される格子点の色をマッピングする変換工程と、
複数の格子点の色それぞれの前記変換の結果に基づいてプロファイルを作成するプロファイル作成工程と、
を有し、
前記変換工程では、前記判断工程で、格子点の色が前記所定の領域に属していると判断した場合は、格子点の色の点と前記最大彩度点を結ぶ直線と無彩色軸との交点の明度以上の色を焦点色に設定し、前記格子点の色をマッピングすることを特徴とするプロファイル作成方法。
【請求項１０】
前記プロファイル作成工程で作成されたプロファイルを用いて、前記第１の色域の画像データを前記第２の色域の画像データに変換する工程をさらに有することを特徴とする請求項９に記載のプロファイル作成方法。
【請求項１１】
前記変換工程では、前記判断工程で、格子点の色が前記所定の領域に属していないと判断した場合は、格子点の明度に応じて焦点色を設定し、前記格子点の色をマッピングすることを特徴とする請求項９または１０に記載のプロファイル作成方法。
【請求項１２】
前記変換工程では、前記判断工程で、格子点の色が前記所定の領域に属しておらず前記所定の領域との境界に属していると判断した場合は、前記第１の色域と前記第２の色域との間で格子点の明度と彩度の大小関係が保持されるよう焦点色を設定し、前記格子点の色をマッピングすることを特徴とする請求項９乃至１１のいずれか１項に記載のプロファイル作成方法。
【請求項１３】
第１の色空間の色信号を第２の色空間の色信号に変換するためのプロファイルを作成するプロファイル作成方法であって、
所定の色空間に含まれる平面であって、無彩色軸と、前記第１の色空間の色信号を示す注目色と、を含む平面上において、前記注目色に対応する無彩色軸上の焦点色を設定する工程であって、
前記注目色の彩度は、前記第２の色空間の色域の最大彩度点の彩度よりも高く、且つ、前記注目色の明度は前記最大彩度点の明度よりも高く、および設定される前記焦点色の明度は、前記最大彩度点と前記注目色とを結ぶ線と、無彩色軸と、の交点が示す明度以上であり、
第１の明度の注目色に対応する焦点色の明度が、前記第１の明度と異なる第２の明度の注目色に対応する焦点色の明度と異なり、
前記注目色の焦点色は、当該格子点と焦点色とを結ぶ線が前記第２の色空間の色域の境界と交わるように設定される、
工程と、
前記注目色に対応する前記第１の色空間の前記色信号と、前記第２の色空間の色域に含まれ且つ前記注目色と前記焦点色とを結ぶ線上の点に対応する前記第２の色空間の色信号と、対応付ける工程と、
を有することを特徴とするプロファイル作成方法。
【請求項１４】
前記所定の色空間は、Ｌ*ａ*ｂ*色空間であることを特徴とする請求項１３に記載のプロファイル作成方法。
【請求項１５】
前記第１の色空間は、ＲＧＢ座標系によって規定される色空間であることを特徴とする請求項１３または１４に記載のプロファイル作成方法。
【請求項１６】
前記第２の色空間において最大彩度色の明度より高い明度を有し、且つ前記最大彩度点の彩度より高い彩度を有する色の領域において同じ明度の色は、同じ焦点色に対応することを特徴とする請求項１３乃至１５のいずれか１項に記載のプロファイル作成方法。
【請求項１７】
コンピュータに読み取られることにより、当該コンピュータを、色空間において、第１の色域で定義される格子点の色を、該色と無彩色軸上の焦点色とを結ぶ直線上の色にマッピングすることによって第２の色域の色に変換するためのプロファイルを作成する画像処理装置として機能させるプログラムであって、
前記格子点の色が、格子点の色が属する色相の面において前記第２の色域の最大彩度点の明度より高く、かつ前記最大彩度点の彩度より高い所定の領域に属するか否かを判断する判断工程のコードと、
前記第１の色域で定義される格子点の色をマッピングする変換工程のコードと、
複数の格子点の色それぞれの前記変換の結果に基づいてプロファイルを作成するプロファイル作成工程と、
を有し、
前記変換工程では、前記判断工程で、格子点の色が前記所定の領域に属していると判断した場合は、格子点の色の点と前記最大彩度点を結ぶ直線と無彩色軸との交点の明度以上の色を焦点色に設定し、前記格子点の色をマッピングすることを特徴とするプログラム。
【請求項１８】
前記プロファイル作成工程によって作成されたプロファイルを用いて、前記第１の色域の画像データを前記第２の色域の画像データに変換する工程のコードをさらに有したことを特徴とする請求項１７に記載のプログラム。
【請求項１９】
前記変換工程では、前記判断工程で、格子点の色が前記所定の領域に属していないと判断した場合は、格子点の明度に応じて焦点色を設定し、前記格子点の色をマッピングすることを特徴とする請求項１７または１８に記載のプログラム。
【請求項２０】
前記変換工程では、前記判断工程で、格子点の色が前記所定の領域に属しておらず前記所定の領域との境界に属していると判断した場合は、前記第１の色域と前記第２の色域との間で格子点の明度と彩度の大小関係が保持されるよう焦点色を設定し、前記格子点の色をマッピングすることを特徴とする請求項１７乃至１９のいずれか1項に記載のプログラム。
【請求項２１】
所定の色空間に含まれる平面であって、無彩色軸と、第１の色空間の色信号を示す注目色と、を含む平面上において、前記注目色に対応する無彩色軸上の焦点色が設定されているプロファイルを用いて、前記第１の色空間の色信号を第２の色空間の色信号に変換するための色変換方法であって、
前記注目色の彩度は、前記第２の色空間の色域の最大彩度点の彩度よりも高く、且つ前記注目色の明度は前記最大彩度点の明度よりも高く、および設定される前記焦点色の明度は、前記最大彩度点と前記注目色とを結ぶ線と、無彩色軸と、の交点が示す明度以上であり、
第１の明度の注目色に対応する焦点色の明度が、前記第１の明度と異なる第２の明度の注目色に対応する焦点色の明度と異なり、
前記注目色の焦点色は、当該格子点と焦点色とを結ぶ線が前記第２の色空間の色域の境界と交わるように設定され、
前記注目色に対応する前記第１の色空間の前記色信号が、前記第２の色空間の色域に含まれ且つ前記注目色と前記焦点色とを結ぶ線上の点に対応する前記第２の色空間の色信号に、対応付けられている、
ことを特徴とする色変換方法。
【請求項２２】
所定の色空間に含まれる平面であって、無彩色軸と、第１の色空間の色信号を示す注目色と、を含む平面上において、前記注目色に対応する無彩色軸上の焦点色が設定されているプロファイルを用いて、前記第１の色空間の色信号を第２の色空間の色信号に変換する画像処理装置であって、
前記注目色の彩度は、前記第２の色空間の色域の最大彩度点の彩度よりも高く、且つ前記注目色の明度は前記最大彩度点の明度よりも高く、および設定される前記焦点色の明度は、前記最大彩度点と前記注目色とを結ぶ線と、無彩色軸と、の交点が示す明度以上であり、
第１の明度の注目色に対応する焦点色の明度が、前記第１の明度と異なる第２の明度の注目色に対応する焦点色の明度と異なり、
前記注目色の焦点色は、当該格子点と焦点色とを結ぶ線が前記第２の色空間の色域の境界と交わるように設定され、
前記注目色に対応する前記第１の色空間の前記色信号が、前記第２の色空間の色域に含まれ且つ前記注目色と前記焦点色とを結ぶ線上の点に対応する前記第２の色空間の色信号に、対応付けられている、
ことを特徴とする画像処理装置。
【請求項２３】
前記変換された第２の色空間の色信号に基づいて、画像出力装置による印刷を制御する印刷制御手段を具えたことを特徴とする請求項２２に記載の画像処理装置。
【請求項２４】
コンピュータに読取られることにより、当該コンピュータを、所定の色空間に含まれる平面であって、無彩色軸と、第１の色空間の色信号を示す注目色と、を含む平面上において、前記注目色に対応する無彩色軸上の焦点色が設定されているプロファイルを用いて、前記第１の色空間の色信号を第２の色空間の色信号に変換する画像処理装置として機能させるプログラムであって、
前記注目色の彩度は、前記第２の色空間の色域の最大彩度点の彩度よりも高く、且つ前記注目色の明度は前記最大彩度点の明度よりも高く、および設定される前記焦点色の明度は、前記最大彩度点と前記注目色とを結ぶ線と、無彩色軸と、の交点が示す明度以上であり、
第１の明度の注目色に対応する焦点色の明度が、前記第１の明度と異なる第２の明度の注目色に対応する焦点色の明度と異なり、
前記注目色の焦点色は、当該格子点と焦点色とを結ぶ線が前記第２の色空間の色域の境界と交わるように設定され、
前記注目色に対応する前記第１の色空間の前記色信号が、前記第２の色空間の色域に含まれ且つ前記注目色と前記焦点色とを結ぶ線上の点に対応する前記第２の色空間の色信号に、対応付けられている、
ことを特徴とするプログラム。